(57)【要約】【課題】大きくて重量のあるＡＶ機器の梱包及び開梱作業を容易にすることができる梱包材を提供する。【解決手段】梱包材１００は、対向する１対の側面が開放可能である箱体の梱包箱１と、機器３を載置するとともに、開放可能な１対の側面によって形成される開口面Ｓに垂直な方向にスライドし、開口面Ｓのいずれか一方を介して、機器３を梱包箱１に出し入れするスリーブ２と、を備える。スリーブ２は、上向きコ字状に形成されて、機器３を載置する載置面２１と、載置面２１の両端縁からそれぞれ開口面Ｓと略並行な方向に立設した２つの立設面２２と、を有し、２つの立設面２２は、引っ掛け可能な取っ手部２４を備える。【選択図】図１
2008222257.tif 000002
【特許請求の範囲】
【請求項１】
対向する１対の側面が開放可能である箱体の収納部と、
機器を載置するとともに、前記開放可能な１対の側面によって形成される開口面に垂直な方向にスライドし、前記開口面のいずれか一方を介して、前記機器を前記収納部に出し入れするスライド部と、
を備えた梱包材であって、
前記スライド部は、
上向きコ字状に形成されて、前記機器を載置する載置面と、前記載置面の両端縁からそれぞれ前記開口面と略並行な方向に立設した２つの立設面と、
を有し、
前記２つの立設面それぞれは、引っ掛け可能な取っ手部を備えることを特徴とする梱包材。
【請求項２】
前記機器は緩衝材を介して前記収納部に収納保護され、
前記収納部の別の一対の側面は、それぞれ、前記収納部の内側に折り曲げ可能なフラップを備え、
前記内側に折り曲げられたフラップは、前記機器を前記収納部から取り出す際には前記緩衝材を支持して、前記緩衝材をスライドさせないことを特徴とする請求項１記載の梱包材。
【請求項３】
１つの面が開放可能である箱体の収納部と、
機器を載置するとともに、前記開放可能な面によって形成される開口面が地面に対して垂直な状態においては、前記開口面に垂直な方向にスライドし、前記開口面を介して、前記機器を前記収納部に出し入れするスライド部と、
を備えた梱包材であって、
前記スライド部は、
少なくとも、機器を載置する載置面と、前記載置面の前記開口面に近い一端縁から立設した立設面と、
を有し、
前記立設面は、引っ掛け可能な取っ手部を備えることを特徴とする梱包材。
【請求項４】
前記機器は緩衝材を介して前記収納部に収納保護され、
前記開口面が地面に対して垂直な状態において、前記地面及び前記開口面に対して垂直な前記収納部の１対の対向面は、それぞれ、前記収納部の内側に折り曲げ可能なフラップを備え、
前記内側に折り曲げられたフラップは、前記機器を前記収納部から取り出す際には前記緩衝材を支持して、スライドさせないことを特徴とする請求項３記載の梱包材。
【請求項５】
前記立設面は、
前記機器を前記収納部に収納した状態において、前記立設面の一端が前記収納部の前記載置面と対向する面まで延びて当接するように形成されていることを特徴とする請求項１乃至４のいずれか１項に記載の梱包材。
【請求項６】
前記載置面は、緩衝材を位置決めするための係合部を備えることを特徴とする請求項１乃至５のいずれか１項に記載の梱包材。
【請求項７】
さらに、緩衝材を備えることを特徴とする請求項１乃至６のいずれか１項に記載の梱包材。
【発明の詳細な説明】
【技術分野】
【０００１】
本発明は、製品の梱包材に関し、特に、大きくて重量のあるＡＶ（Audio Visual）機器に好適に適用できる梱包材に関する。
【背景技術】
【０００２】
ＡＶ機器の梱包箱としては、一般的には、上面のみが開放される箱型の梱包箱が使用される。このような上面のみが開放される梱包箱においては、ＡＶ機器を梱包箱に収納したり、ＡＶ機器を梱包箱から取り出したりする際には、開放した上面を介して製品の出し入れをするので、大型で重量のある製品となると、梱包及び開梱する作業が一人では困難であり、複数の作業者を必要とする。
【０００３】
このような問題点に対しては、例えば、梱包補助シートを用いて、製品を取り出す際にバランスを崩して落下させないようにし、開梱作業を容易にする梱包材が提案されている（例えば、特許文献１参照）。
【０００４】
【特許文献１】特開２０００−１０９０５９号公報
【発明の開示】
【発明が解決しようとする課題】
【０００５】
上述した梱包補助シートを用いて製品を取り出す開梱作業は、従来の梱包補助シートを用いないで製品を取り出す開梱作業と比べれば、確かに肉体的負担を軽減するものである。しかしながら、製品を持ち上げて取り出すという工程は存在するので、大型で重量のある製品の開梱作業に対しては、作業者に肉体的負担を強いることには変わりがない。このため、大型で重量のある製品を持ち上げることなく、梱包及び開梱作業をより容易にする梱包材が求められていた。
【０００６】
本発明は、上記の事情を鑑みてなされたものであり、その課題の一例としては、大きくて重量のあるＡＶ機器の梱包及び開梱作業を容易にすることができる梱包材を提供することにある。
【課題を解決するための手段】
【０００７】
上記の課題を達成するため、請求項１記載の梱包材は、対向する１対の側面が開放可能である箱体の収納部と、機器を載置するとともに、前記開放可能な１対の側面によって形成される開口面に垂直な方向にスライドし、前記開口面のいずれか一方を介して、前記機器を前記収納部に出し入れするスライド部と、を備えた梱包材であって、前記スライド部は、上向きコ字状に形成されて、前記機器を載置する載置面と、前記載置面の両端縁からそれぞれ前記開口面と略並行な方向に立設した２つの立設面と、を有し、前記２つの立設面それぞれは、引っ掛け可能な取っ手部を備えることを特徴とする。
【０００８】
また、請求項３記載の梱包材は、１つの面が開放可能である箱体の収納部と、機器を載置するとともに、前記開放可能な面によって形成される開口面が地面に対して垂直な状態においては、前記開口面に垂直な方向にスライドし、前記開口面を介して、前記機器を前記収納部に出し入れするスライド部と、を備えた梱包材であって、前記スライド部は、少なくとも、機器を載置する載置面と、前記載置面の前記開口面に近い一端縁から立設した立設面と、を有し、前記立設面は、引っ掛け可能な取っ手部を備えることを特徴とする。
【発明を実施するための最良の形態】
【０００９】
以下、本発明の実施の形態を図面を用いて説明する。
【００１０】
＜第１の実施の形態＞
図１は、本発明の第１の実施の形態に係る梱包材１００の外観斜視図である。図１に示す梱包材１００は、大きくて重量のあるＡＶ機器（例えば、ＡＶアンプなど）用の梱包材であって、箱型に形成され、対向する１組の側面１１（１１ａ、１１ｂ、１１ｃ、１１ｄ）及び１２が開放可能な梱包箱（収納部）１と、上向きコ字状に形成され、側面１１又は１２を開放することにより形成される開口面Ｓを介して機器３を梱包箱１に出し入れ可能なスリーブ（スライド部）２と、を備えている。
【００１１】
梱包箱１は、段ボールなどの素材からなり、緩衝材４を介して機器３を載置するスリーブ２を収納可能としている。側面１３、１４、上面１５、及び下面１６の開口面Ｓ（側面１１が開放されているものとする）側の端縁には、それぞれ蓋１１ａ、１１ｂ、１１ｃ、及び１１ｄが折り曲げ自在に設けられており、蓋１１ａ、１１ｂ、１１ｃ、１１ｄを閉めることにより、梱包箱１は、完全な箱型を形成する。
【００１２】
スリーブ２は、梱包箱１と同じ段ボールなどの素材からなり、緩衝材４を介して機器３を載置する載置面２１と、載置面２１の両縁部（スリーブ２の移動方向であり、開口面Ｓに垂直なＡ方向に対して、手前側及び奥側の縁）からそれぞれ対向して立設する立設面２２（２２ａ、２２ｂ）と、から構成される。
【００１３】
載置面２１には、機器３の底部が嵌め込まれる２つの緩衝材４ａ及び４ｂを位置決めするための位置決め孔２３がそれぞれ設けられており、緩衝材４ａ及び４ｂの下方に突出した凸部４１とそれぞれ係合するようになっている。これにより、緩衝材４ａ及び４ｂのスリーブ２上における設置位置が正確となるので、機器３を収納箱１に収納する際には、機器３及び緩衝材４が開口面Ｓからはみ出ることがなく、機器３を載置したスリーブ２をスムースに梱包箱１に収納することができる。すなわち、収納作業を効率化することができる。なお、本実施の形態では、スリーブ２側を凹状、緩衝材４側を凸状に形成したが、これと逆の構成、つまり、スリーブ２側を凸状、緩衝材４側を凹状に形成して、嵌合可能としてもよい。
【００１４】
ここで、緩衝材４（４ａ、４ｂ、４ｃ、４ｄ）は、発泡スチロールなどからなり、梱包箱１の内面と製品３との間に介在し、製品３とを保護するようになっている。具体的には、緩衝材４は、図１に示すように、製品３の水平方向の４辺にそれぞれ装着されており、スリーブ２の移動方向であるＡ方向に対して、手前側の上下に２個、奥側の上下に２個取り付けられている。
【００１５】
立設面２２は、面の略中央に引っ掛け可能な孔状の取っ手２４（２４ａ、２４ｂ）を設けており、梱包の際、又は開梱の際にこの取っ手２４を引っ張ることにより、機器３を梱包箱１から出し入れ可能としている。図２は、機器３を梱包箱１から取り出すときの梱包材１００の側面図（断面図）である。図２に示すように、取っ手２４ａに手を入れてスリーブ２を手前（Ｃ方向）に引っ張ると、折り曲げ可能な立設面２２ａは倒れ、載置面２１と略一直線状を形成するようになるので、この状態でスリーブ２を引っ張ることにより、スリーブ２は手前にスライドし、機器３が梱包箱１から取り出される。この際に、緩衝材４ａ及び４ｂは、位置決め孔２３を介して載置面２１と係合しているので、スリーブ２と機器３を確実に一体化して取り出し可能である。
【００１６】
なお、本実施の形態では、取っ手２４を孔状の形状としているが、スリーブ２を引っ張って、Ａ方向にスリーブ２をスライド可能とするのであれば、特に形状は限定されない。例えば、紐状の取っ手２４が取り付けられて、紐状の取っ手２４を引っ張ることにより、スライド可能としてもよい。
【００１７】
一方、機器３を梱包箱１に収納するときは、緩衝材４を介して機器３をスリーブ２に載置した後、側面１１及び１２それぞれを開放した状態で、奥側の開口面Ｓ（側面１２を開放することによって形成される開口面）を介して、立設面２２ｂの取っ手２４ｂを引っ張ることにより、機器３を収容する。
【００１８】
以上、述べたように本実施の形態の梱包材１００によれば、製品を取り出す際には、製品３を持ち上げて取り出すのではなく、機器３を載置したスリーブ２をスライドさせることにより、製品３を取り出すことができる。また、製品を収納する際にも、製品３を持ち上げて収納するのではなく、機器３を載置したスリーブ２をスライドさせることにより、製品３を収納することができる。この結果、大きくて重量のあるＡＶ機器の梱包及び開梱作業を容易にすることができる。すなわち、ＡＶ機器の落下による怪我やＡＶ機器の破損などを確実に防止することができ、力のない人でも取り出し作業を容易に行うことができる。
【００１９】
なお、本実施の形態においては、図１及び図２に示すように、梱包箱１の高さＤ＞立設面２２の高さＤ１としたが、上下方向（Ｂ方向）の積圧強度をより高めるために、図３に示すように、梱包箱１の高さＤ≒立設面２５の高さＤ２とし、立設面２５の上端が梱包箱１に当接するような梱包材１００Ａとしてもよい。この場合には、立設面２５が梱包箱１の上面１５の裏側まで延びて形成されているので、機器３を梱包箱１に収納した状態においては、立設面２５の上端を梱包箱１の上面裏側と緩衝材４ｃの間に挟み込むことにより、立設面２５が梱包材１００Ａの上下方向を固定するので、上下方向の積圧強度を高めることができる。
【００２０】
また、本実施の形態の梱包箱１００においては、対向する１組の側面１１及び１２を開放可能な構成としたが、対向する１組の側面１１及び１２のいずれか一方のみが開放可能な構成としてもよい。
【００２１】
＜第２の実施の形態＞
図４は、本発明の第２の実施の形態に係る梱包材２００の外観斜視図である。図４に示す梱包材１００は、大きくて重量のあるＡＶ機器（例えば、ＡＶアンプなど）用の梱包材であって、箱型に形成され、対向する１組の側面５１（５１ａ、５１ｂ、５１ｃ、５１ｄ）及び５２が開放可能な梱包箱（収納部）５と、上向きコ字状に形成され、側面５１又は５２を開放することにより形成される開口面Ｓを介して機器３を梱包箱５に出し入れ可能なスリーブ（スライド部）６と、を備えている。なお、本実施の形態においては、第１の実施の形態と異なる構成及び機能のみ説明し、その他の構成及び機能については同一部分には同一符号を付して説明を省略する。
【００２２】
梱包箱５は、段ボールなどの素材からなり、緩衝材４を介して機器３を載置したスリーブ２を収納可能としている。側面５３、５４、上面５５、及び下面５６の開口面Ｓ（側面５１が開放されているものとする）側の端縁には、それぞれ蓋５１ａ、５１ｂ、５１ｃ、及び５１ｄが折り曲げ自在に設けられており、蓋５１ａ、５１ｂ、５１ｃ、５１ｄを閉めることにより、梱包箱５は、完全な箱型を形成する。
【００２３】
また、梱包箱５は、側面５３及び５４のそれぞれ対向する位置にフラップ５７（５７ａ、５７ｂ）を設けている。フラップ５７は、各面に２箇所、略方形状に形成されており、加圧することで梱包箱５の内側に折り曲げ可能となっている。具体的には、図４に示すように、４辺のうち３辺を切り取り可能とし、残り１辺を支点として内側に折り曲げ可能としている。折り曲げられたフラップ５７は、機器３を載置したスリーブ６を取り出す際に、機器３の上部に取り付けられた緩衝材４ｃ又は４ｄを機器３とともにスライドさせないための役割を有し、緩衝材４ｃ又は４ｄを収納時の状態に両側面から支持するようになっている。すなわち、開放された側面５１によって形成された開口面Ｓを介してスリーブ２を取り出すときには、奥側のフラップ５７ｂを折り曲げて、緩衝材４ｄを支持し、また、開放された側面５２によって形成された開口面Ｓを介してスリーブ２を取り出すときには、手前側のフラップ５７ａを折り曲げて、緩衝材４ｃを支持するようになっている。
【００２４】
このように、梱包材２００は、機器３を梱包箱５から取り出すときには、上部奥側の緩衝材４ｃ又は４ｄを梱包箱５内に支持したまま、スリーブ２をスライドさせるので、梱包箱５の上面５５の内側と上部の緩衝材４ｃ又は４ｄとの摩擦を小さくすることができ、以って、より引き出しやすい構成となっている。
【００２５】
スリーブ６は、梱包箱５と同じ段ボールなどの素材からなり、緩衝材４を介して機器３を載置する載置面６１と、載置面６１の両縁部（スリーブ６の移動方向であり、開口面Ｓに垂直なＡ方向に対して、手前側及び奥側の縁）からそれぞれ対向して立設する立設面６２（６２ａ、６２ｂ）と、から構成される。
【００２６】
載置面６１には、機器３の底部が嵌め込まれる２つの緩衝材４ａ及び４ｂを位置決めするための位置決め孔６３がそれぞれ設けられており、緩衝材４ａ及び４ｂの下方に突出した凸部４１とそれぞれ係合するようになっている。これにより、緩衝材４ａ及び４ｂのスリーブ２上における設置位置が正確となるので、機器３を収納箱５に収納する際には、機器３及び緩衝材４が開口面Ｓからはみ出ることがなく、機器３を載置したスリーブ２をスムースに梱包箱５に収納することができる。すなわち、収納作業を効率化することができる。なお、本実施の形態では、スリーブ６側を凹状、緩衝材４側を凸状に形成したが、これと逆の構成、つまり、スリーブ６側を凸状、緩衝材４側を凹状に形成して、嵌合可能としてもよい。
【００２７】
立設面６２は、面の略中央に引っ掛け可能な孔状の取っ手６４（６４ａ、６４ｂ）を設けており、梱包の際、又は開梱の際にこの取っ手６４を引っ張ることにより、機器３を梱包箱５から出し入れ可能としている。図５は、機器３を梱包箱５から取り出すときの梱包材１００の側面図（断面図）である。図５に示すように、フラップ５７を内側に折り曲げて、取っ手６４ａに手を入れてスリーブ６を手前（Ｃ方向）に引っ張ると、緩衝材４ｄを梱包箱５内に支持した状態で、立設面６２ａは倒れ、載置面面６１と略一直線状を形成するようになるので、この状態でスリーブ６を引っ張ることにより、スリーブ６は手前にスライドし、機器３が梱包箱５から取り出される。この際に、緩衝材４ａ及び４ｂは、位置決め孔６３を介して載置面６１と係合しているので、スリーブ６と機器３を確実に一体化して取り出し可能である。
【００２８】
ここで、立設面６２（６２ａ、６２ｂ）の高さＤ３は、梱包箱５の下面５６から緩衝材４ｃ及び４ｄの下端までの高さと略同一であるため、機器３を梱包箱５に収納時には、立設面２２が緩衝材４ｃ、４ｄを支持することにより、上下方向の積圧強度を高めている。
【００２９】
なお、本実施の形態では、取っ手６４を孔状の形状としているが、スリーブ６を引っ張って、Ａ方向にスリーブ６をスライド可能とするのであれば、特に形状は限定されない。例えば、紐状の取っ手６４が取り付けられて、紐状の取っ手６４を引っ張ることにより、スライド可能としてもよい。
【００３０】
一方、機器３を梱包箱５に収納するときは、緩衝材４を介して機器３をスリーブ６に載置した後、側面６１及び６２それぞれを開放した状態で、奥側の開口面Ｓ（側面６２を開放することによって形成される開口面）を介して、立設面６２ｂの取っ手６４ｂを引っ張ることにより、機器３を収容する。
【００３１】
以上、述べたように本実施の形態の梱包材２００によれば、製品を取り出す際には、製品３を持ち上げて取り出すのではなく、機器３を載置したスリーブ２をスライドさせることにより、製品３を取り出すことができる。また、製品３を収納する際にも、製品３を持ち上げて収納するのではなく、機器３を載置したスリーブ２をスライドさせることにより、製品３を収納することができる。この結果、大きくて重量のあるＡＶ機器の梱包及び開梱作業を容易にすることができる。すなわち、ＡＶ機器の落下による怪我やＡＶ機器の破損などを確実に防止することができ、力のない人でも取り出し作業を容易に行うことができる。特に、製品３を取り出す際には、フラップ５７を内側に折り曲げることにより、抵抗なく、よりスムースに製品３を取り出すことができる。
【００３２】
なお、本実施の形態においては、対向する１組の側面５１及び５２を開放可能な構成としたが、対向する１組の側面５１及び５２のいずれか一方のみが開放可能な構成としてもよい。この場合、上下方向の積圧強度をより高めるために、図６に示すように、梱包箱５の高さＤ≒開口面Ｓ側の立設面６５の高さＤ４とし、立設面６５の上端が梱包箱５に当接するような梱包材２００Ａとしてもよい。この場合には、立設面６５が梱包箱５の上面５５の裏側まで延びて形成されているので、機器３を梱包箱５に収納した状態においては、立設面６５の上端を梱包箱１の上面裏側と緩衝材４ｃの間に挟み込むことにより、立設面６５が梱包材２００Ａの上下方向を固定するので、上下方向の積圧強度を高めることができる。
【００３３】
＜その他実施形態＞
以上、本発明の実施の形態について説明してきたが、本発明の要旨を逸脱しない範囲において、本発明の実施の形態に対して種々の変形や変更を施すことができる。
【００３４】
例えば、上記実施の形態において、梱包箱１及び５の素材を段ボールとした場合には、梱包箱１及び５の上下方向（Ｂ方向）の積圧強度を強くするため、側面１３及び１４、並びに側面５３及び５４の段ボールの目方向（縦）をＡ方向でなく、Ｂ方向にするのが好適である。
【００３５】
また、上記実施の形態において、スリーブ２及び６をよりスライドしやすくするために、載置面２１及び６１の下側の面に滑りやすい素材（例えば、摩擦係数の小さなテープ類など）を付けるようにしてもよい。
【００３６】
また、ＡＶ機器を梱包するのに使用されることが多い、上面だけが開放可能なＡ式梱包箱７を用いた梱包材３００としてもよく、この場合には、図７に示すように、機器を梱包箱７に収納するときは、上方向（Ｄ方向）から機器、スリーブ、及び緩衝材を収納し、製品３を取り出すときは、まず、梱包箱７を倒した状態にし、開放可能な上面を開放して、水平方向（Ｅ方向）にスリーブをスライドさせて機器を取り出すようにしてもよい。
【００３７】
また、上記実施の形態においては、スリーブを引っ張ると、スリーブの立設面は倒れるような構成としたが、スリーブの構成はこれに限定されず、スリーブを引っ張っても、スリーブのコ字状が維持されるような素材（例えば、プラスチックなど）でスリーブを構成してもよい。
【００３８】
さらには、上記実施の形態においては、スリーブを上向きコ字状としたが、スリーブの形状はこれに限定されず、上面が開口した箱状（側面が４つある）としてもよい。
【図面の簡単な説明】
【００３９】
【図１】本発明の第１の実施の形態に係る梱包材の外観斜視図である。
【図２】図１に示す梱包材の側面方向から見た断面図である。
【図３】本発明の第１の実施の形態に係る梱包材の変形例を側面方向から見た断面図である。
【図４】本発明の第２の実施の形態に係る梱包材の外観斜視図である。
【図５】図４に示す梱包材の側面方向から見た断面図である。
【図６】本発明の第２の実施の形態に係る梱包材の変形例を側面方向から見た断面図である。
【図７】本発明の他の実施の形態に係る梱包材の使用方法を説明する図である。
【符号の説明】
【００４０】
１，５，７  梱包箱
２，２Ａ，６，６Ａ  スリーブ
３  製品
４  緩衝材
１１，１２，１３，１４，５１，５２，５３，５４  側面
１５，５５  上面
１６，５６  下面
２１，６１  載置面
２２，２５，６２，６５  立設面
２３，６３  位置決め孔
２４，６４  取っ手
４１  凸部
５７  フラップ
１００，１００Ａ，２００，２００Ａ，３００  梱包材
【図１】
2008222257.tif 000003
【図２】
2008222257.tif 000004
【図３】
2008222257.tif 000005
【図４】
2008222257.tif 000006
【図５】
2008222257.tif 000007
【図６】
2008222257.tif 000008
【図７】
2008222257.tif 000009